(57)【特許請求の範囲】
【請求項１】
携帯情報端末および検査装置を含む検査システムであって、
前記携帯情報端末は、
検査対象者の生体情報を保管する生体情報保管部と、
前記検査対象者の生体情報を読み取る読み取り部と、
前記読み取り部により読み取られた前記生体情報と、前記生体情報保管部に保管された前記生体情報とを比較する比較部と、
前記比較部による前記生体情報の比較結果を出力する出力部と、
を有し、
前記検査装置は、
当該検査装置が前記検査対象者に行う検査に関する情報である検査情報を取得する検査情報取得部と、
前記出力部が出力した前記生体情報の比較結果と、前記検査情報とに基づいて、前記検査装置の動作を制御する動作制御部と、
を有する
ことを特徴とする検査システム。
【請求項２】
前記比較部は、前記生体情報を比較することにより、前記検査対象者の個人認証を行うことを特徴とする請求項１に記載の検査システム。
【請求項３】
前記動作制御部は、個人認証の結果が肯定的である場合に前記検査を実行可能にし、個人認証の結果が否定的である場合に前記検査を実行できなくする
ことを特徴とする請求項２に記載の検査システム。
【請求項４】
前記出力部は、音声または画像により、個人認証の結果が肯定的か否定的かを通知部に通知させる
ことを特徴とする請求項２または３に記載の検査システム。
【請求項５】
前記動作制御部は、個人認証の結果が肯定的である場合に前記検査を開始する
ことを特徴とする請求項２に記載の検査システム。
【請求項６】
前記生体情報は、前記検査対象者の指紋である
ことを特徴とする請求項１ないし５のいずれか１項に記載の検査システム。
【請求項７】
前記検査情報は、前記検査対象者の検査内容に関する情報を含み、
前記携帯情報端末は、前記検査情報を保管する検査情報保管部をさらに有し、
前記検査情報取得部は、前記検査情報保管部から前記検査情報を取得し、
前記動作制御部は、前記検査情報に基づいて前記検査対象者の検査内容が前記検査装置と合致するかどうかを判定する
ことを特徴とする請求項１ないし６のいずれか１項に記載の検査システム。
【請求項８】
前記検査情報は、前記検査対象者の検査内容に関する情報および前記検査対象者を特定するための情報を含み、
前記検査情報取得部は、サーバから前記検査情報を取得し、
前記動作制御部は、前記検査情報に基づいて前記検査対象者の検査内容が前記検査装置と合致するかどうかを判定する
ことを特徴とする請求項１ないし６のいずれか１項に記載の検査システム。
【請求項９】
前記読み取り部は、前記携帯情報端末と前記検査装置の通信が確立したのちに前記生体
情報を読み取る
ことを特徴とする請求項１ないし８のいずれか１項に記載の検査システム。
【請求項１０】
前記検査装置は、前記携帯情報端末を保持する保持部をさらに有し、
前記読み取り部は、前記保持部に前記携帯情報端末が保持されたのちに前記生体情報を読み取る
ことを特徴とする請求項１ないし９のいずれか１項に記載の検査システム。
【請求項１１】
前記検査情報取得部は、設定者によりサーバに設定された前記検査情報を取得する
ことを特徴とする請求項１ないし１０のいずれか１項に記載の検査システム。
【請求項１２】
前記携帯情報端末は、前記検査対象者に対して、前記検査装置への移動、および、前記検査装置による検査の進行状態の少なくともいずれかをガイドする
ことを特徴とする請求項１ないし１１のいずれか１項に記載の検査システム。
【請求項１３】
前記携帯情報端末は、前記検査装置による検査が終了したのち、前記生体情報を消去する
ことを特徴とする請求項１ないし１２のいずれか１項に記載の検査システム。
【請求項１４】
前記検査装置は、前記検査対象者が前記検査装置の所定の測定位置から離れたかどうかを確認する検査対象者確認部をさらに有する
ことを特徴とする請求項１ないし１３のいずれか１項に記載の検査システム。
【請求項１５】
前記検査装置は、前記携帯情報端末が前記保持部に保持されているかどうかを確認する携帯情報端末確認部をさらに有する
ことを特徴とする請求項１０に記載の検査システム。
【請求項１６】
前記検査装置は、光源と、前記光源からの光照射により前記検査対象者から発生する音響波を受信する受信素子と、を含む光音響イメージング装置である
ことを特徴とする請求項１から１５のいずれか１項に記載の検査システム。
【請求項１７】
検査装置による検査の際に用いられる携帯情報端末であって、
検査対象者の生体情報を予め保管する生体情報保管部と、
前記検査対象者の生体情報を読み取る読み取り部と、
前記読み取り部により読み取られた前記生体情報を、前記生体情報保管部に保管された前記生体情報と比較する比較部と、
前記生体情報の比較結果を出力する出力部と、
を有することを特徴とする携帯情報端末。
【請求項１８】
検査対象者の生体情報を読み取る工程と、
前記読み取る工程で読み取られた前記生体情報と、携帯情報端末の生体情報保管部に保管された生体情報とを比較する工程と、
前記生体情報の比較結果を出力する工程と、
検査装置が前記検査対象者に行う検査に関する情報である検査情報を取得する工程と、
前記比較する工程での比較結果と、前記検査情報とに基づいて、前記検査装置の動作を制御する工程と、
を有することを特徴とする検査方法。
【発明の詳細な説明】
【技術分野】
【０００１】
本発明は、検査システム、携帯情報端末および検査方法に関する。
【背景技術】
【０００２】
近年、医療検査装置が高度化し、複数の検査装置が実現されている。研究開発中の装置も含めれば、光音響イメージング装置、超音波イメージング装置、Ｘ線撮像装置、ＣＴ装置、ＭＲＩ装置、眼底カメラ等の装置がある。このような検査装置で検査を行う場合、検査対象者は医師から検査内容と検査装置を指示され、検査室にある検査装置で監査を受ける。多くの場合、医師と、検査装置を操作する検査技師は異なる。そのため、検査対象者が検査装置を間違える医療ミスや、検査技師が検査対象者を取り違えて検査を行ってしまう医療ミスが発生する可能性がある。
【０００３】
このような医療ミスを防止するために、特許文献１には、サーバに受診者固有のデータおよび受診者指紋データを保存し、検査前に指紋認証を行い受診者の確認を行い、患者取り違え等の医療ミスを防止する医療システムが開示されている。また、特許文献２には、患者はリストバンドを装着し、リストバンドの情報を読み取る手段の情報に基づき医療機器の動作を制御する手術システムについて開示されている。
【先行技術文献】
【特許文献】
【０００４】
【特許文献１】特開２００２−２２２２５６号公報
【特許文献２】特開２００２−３３６２６８号公報
【発明の概要】
【発明が解決しようとする課題】
【０００５】
特許文献１の医療システムにおいては、サーバ上に個人を認証できる指紋データが記憶され、サーバはネットワークに接続されている。そして、患者の認証は、前記サーバに記憶されている指紋データと、指紋読み取り機による患者の指紋データとの照合により行われる。そのため、患者取り違え等の医療ミスを防止できる。その反面、個人を特定できる指紋データが外部に流出する危険があるため、サーバのセキュリティー管理を厳格に行う必要がある。
【０００６】
特許文献２で開示されているリストバンドによる検査対象者の確認方法は、リストバンドを使用して個人の確認を行うため、指紋データ等の個人を特定できる個人情報が外部に流出しないと言う利点がある。またリストバンド自体が低コストである利点もある。しかし、リストバンドが検査対象者間で故意や過失により交換された場合、検査対象者ではない者が正しい検査対象者として認識されてしまう、患者取り違いが発生する可能性がある。
【０００７】
本発明は上記課題に鑑みてなされたものである。本発明の目的は、検査対象者の取り違いを防ぐとともに、検査対象者の個人情報流出を防ぐ医療用の検査システムを提供することにある。
【課題を解決するための手段】
【０００８】
本発明は、以下の構成を採用する。すなわち、
携帯情報端末および検査装置を含む検査システムであって、
前記携帯情報端末は、
検査対象者の生体情報を予め保管する生体情報保管部と、
前記検査対象者の生体情報を読み取る生体情報読み取り部と、
読み取られた前記生体情報を、保管された前記生体情報と比較する比較部と、
前記生体情報の比較結果を出力する比較結果出力部と、
を有し、
前記検査装置は、
当該検査装置が前記検査対象者に行う検査に関する情報である検査情報を取得する検査情報取得部と、
前記比較結果出力部が出力した前記生体情報の比較結果と、前記検査情報とに基づいて、前記検査装置の動作を制御する動作制御部と、
を有する
ことを特徴とする検査システムである。
【０００９】
本発明はまた、以下の構成を採用する。すなわち、
検査装置による検査の際に用いられる携帯情報端末であって、
検査対象者の生体情報を予め保管する生体情報保管部と、
前記検査対象者の生体情報を読み取る読み取り部と、
前記読み取り部により読み取られた前記生体情報を、前記生体情報保管部に保管された前記生体情報と比較する比較部と、
前記生体情報の比較結果を出力する出力部と、
を有することを特徴とする携帯情報端末である。
【００１０】
本発明はまた、以下の構成を採用する。すなわち、
検査対象者の生体情報を読み取る工程と、
前記読み取る工程で読み取られた前記生体情報と、生体情報保管部に保管された生体情報とを比較する工程と、
前記生体情報の比較結果を出力する工程と、
検査装置が前記検査対象者に行う検査に関する情報である検査情報を取得する工程と、
前記比較する工程での比較結果と、前記検査情報とに基づいて、前記検査装置の動作を制御する工程と、
を有することを特徴とする検査方法である。
【発明の効果】
【００１１】
本発明によれば、検査対象者の取り違いを防ぐとともに、検査対象者の個人情報流出を防ぐ医療用の検査システムを提供できる。
【図面の簡単な説明】
【００１２】
【図１】本発明の実施形態の医療システムに好適な検査装置の模式図
【図２Ａ】本発明の実施形態の医療システムのブロック図
【図２Ｂ】本発明の実施形態の医療システムの別のブロック図
【図３】第１の実施形態のフロー図
【図４】第２の実施形態のフロー図
【図５】第３の実施形態のフロー図
【図６】光音響イメージング装置の検査台と患者の様子を示す模式図
【発明を実施するための形態】
【００１３】
以下に図面を参照しつつ、本発明の好適な実施の形態について説明する。ただし、以下に記載されている構成部品の寸法、材質、形状およびそれらの相対配置などは、発明が適用される装置の構成や各種条件により適宜変更されるべきものである。よって、この発明の範囲を以下の記載に限定する趣旨のものではない。
【００１４】
本発明は、検査装置を有する医療システムに適用される。検査対象者としては、患者や、健康診断の受診者等がいる。本発明の検査装置として例えば、光音響イメージング装置、超音波イメージング装置、Ｘ線撮像装置、ＣＴ装置、ＭＲＩ装置、眼底カメラ等が挙げられる。ただし検査装置はこれらに限定されない。また、光音響測定と超音波測定の兼用装置のように、１つの検査装置が複数の種類の検査を実行可能な場合もある。本発明は、検査装置の使用時に、検査対象者の取り違え等の医療ミスの発生を防止する。本発明はさらに、検査対象者の個人情報について、高いセキュリティー保持機能を有する。
【００１５】
（光音響イメージング装置）
本発明の実施形態の詳細を説明する前に、検査装置の一例である光音響イメージング装置について説明する。より具体的には、乳房の観察に適応した光音響イメージング装置の構成を説明する。ただし、本発明の適用対象は光音響イメージング装置に限定されない。本発明は、複数の検査装置を有する医療システムにも適応できる。
【００１６】
図６は、光音響イメージング装置の検査台と、検査時の患者の位置を示す模式図である。図６において、患者の左右方向をＸ軸、頭尾方向をＹ軸、腹背方向をＺ軸とする。符号１０１は検査台、符号１０２は検査台１０１に設置された検出窓、符号１０３は検査台の上の患者の位置を示すマークである。
【００１７】
例えば、患者の左乳房を検査する場合は、うつ伏せにした患者の体がマーク１０３に重なるように、患者を検査台１０１に寝かせる。すると、患者から見て、検査台１０１の中心から右にオフセットした位置に患者が横たわることになる。その結果、検出窓１０２に左乳房を挿入できる。一方、右乳房を検査する場合は、検査台１０１の中心から左にオフセットした位置に患者が横たわる。
【００１８】
検出窓１０２の内部には、パルスレーザ等の光源からの光を照射する照射部と、音響波を電気信号に変換する圧電素子等の受信素子を実装した支持体が設置されている。照射部には各種の光学部材、例えばバンドルファイバ、ミラー、プリズム、拡散板などを利用できる。また、支持体を被検体に対してＸＹ面内（水平方向）において移動させることで広範囲を測定可能にする、ＸＹステージ等の走査機構があってもよい。光音響イメージング装置はまた、電気信号を用いた画像再構成処理により被検体内部の特性情報（初期音圧分布、吸収係数分布、酸素飽和度分布など）を取得する情報処理部を備える。情報処理部としては、プログラムの指示に従って動作する、プロセッサやメモリ等の演算資源を備えた情報処理装置、例えばＰＣやワークステーションが好適である。
【００１９】
そして、照射部が光を乳房に照射すると光音響効果により音響波（光音響波）が発生する。素子は、光音響波を受信して電気信号に変換する。情報処理部が電気信号や光強度に基づく画像再構成を行うことにより、特性情報が得られる。
【００２０】
＜第１の実施形態＞
（システム構成）
図２Ａ、図２Ｂは、本発明の実施形態の医療用の検査システムのブロック図である。符号１はサーバ、符号２はネットワークである。符号３ａ、３ｂはクライアントＰＣであり、例えば各医師の診察室に常設されている。符号４ａ、４ｂは近距離Ｉ／Ｆであり、例えば有線や、ＮＦＣと呼ばれる近距離無線通信や、光通信等のインターフェイスである。近距離Ｉ／Ｆは、後述するホルダにタブレットＰＣを設置すると、接続が確立して通信可能となるインターフェイスである。
【００２１】
符号５はタブレットＰＣであり、近距離Ｉ／Ｆとの通信機能、生体認証機能を有する。
本明細書ではスレート状のタブレットＰＣを例に挙げる。ただし、可搬型の小型ＰＣ、ウェアラブルＰＣ、スマートフォンと呼ばれる携帯型電話、可搬型音楽プレーヤなども利用できる。その他、後述する機能を備えていれば、本発明の携帯情報端末として利用できる。
【００２２】
本発明の携帯情報端末は、携帯情報端末が一般的に備える情報保管機能、情報処理機能、通信機能、情報出力機能に加え、検査対象者の生体情報を読み取る生体情報読み取り部を備えている。生体情報が指紋の場合、生体情報読み取り部として、光学式や半導体式など任意の指紋リーダーを利用できる。生体情報読み取り部は、本発明の読み取り部に相当する。携帯情報端末の各機能は、プログラムに従って動作するＣＰＵ、メモリ、通信機構などの演算資源を用いて実現される。メモリは本発明の生体情報保管部や検査情報保管部として利用できる。本発明の比較部や比較結果出力部の機能は、所定のブログラムに従った各ブロックの動作として実現できる。
【００２３】
符号６ａ、６ｂは、検査装置であり、上述した各種の医療検査装置から、医師の診察結果や、健診の項目に応じて選択される。検査装置は、コンピュータを内蔵し、またはコンピュータと接続されている。コンピュータは、ＣＰＵ、メモリ、通信機構などの演算資源を備えており、装置の動作制御、データ処理、情報保管、ネットワーク接続等の機能を有している。検査装置のコンピュータは、本発明における動作制御部および検査情報取得部として機能する。コンピュータが検査情報として機能する場合の検査情報取得方法は様々である。例えばタブレットＰＣまたは検査対象者を特定する情報をキーとしてサーバから取得する方法、タブレットＰＣの検査情報保管部から取得する方法、ＵＩを介して取得する方法などがある。
【００２４】
検査装置が、光源と、光源からの光照射により検査対象者から発生する音響波を受信する受信素子を含む光音響イメージング装置の場合について具体例を述べる。光源としては、パルスレーザ装置が好適である。他に、フラッシュランプや発光ダイオードなども利用できる。複数波長の光を照射可能な光源を用いれば、生体を構成する物質の濃度比（酸素飽和度など）を取得できる。受信素子は、レーザ光を照射された被検体から発生する光音響波を受信して電気信号に変換する。例えば圧電素子、ファブリペロー干渉計、ＣＭＵＴ（Ｃａｐａｃｉｔｉｖｅ  Ｍｉｃｒｏｍａｃｈｉｎｅｄ  Ｕｌｔｒａｓｏｎｉｃ  Ｔｒａｎｓｄｕｃｅｒｓ）などが利用できる。装置は、回路等で構成された、電気信号の増幅やデジタル変換を行う信号処理部を含む。装置はまた、ＣＰＵやメモリ等の演算資源を備え、プログラムに従って動作する情報処理部を含む。情報処理部は、電気信号を用いた画像再構成（例えば整相加算法やフーリエ変換法）により特性情報を取得する。
【００２５】
符号７ａ、７ｂは近距離Ｉ／Ｆである。図２では、クライアントＰＣおよび検査装置を２台ずつ示した。これらの台数は、病院や検査施設の規模、検査対象者の状態、医師による診断内容、健診の検査項目数などに応じて変更される。
【００２６】
（検査の概要）
図２Ａにおいて、医師は、患者を診察し、タブレットＰＣ５を近距離Ｉ／Ｆ４ａを介しクライアントＰＣ３ａに接続し、患者の検査内容を確定し検査情報としてタブレットＰＣ５及びサーバ１に記憶する。サーバ１に保管される検査情報には、検査内容に加え、タブレットＰＣ５または患者を特定するために情報が含まれる。医師はまた、患者を確認する生体認証で用いる生体情報を、タブレットＰＣ５に記憶させる。生体認証には、指紋、虹彩、網膜、静脈などの血管、手形、顔、声紋、などを利用できる。本実施形態では、広く実用化されている指紋による生体認証を例として説明する。この場合の生体情報は指紋の情報である。
【００２７】
なお、健康な人を対象とする健康診断等の検査の場合は、検査を受ける検査対象者を患者と呼ぶことは無いが、本明細書では健康な検査対象者も含めて患者と記し説明することとする。また、健康診断等の検査項目を指定する人は医師とは限らないが、同様に本明細書では医師と記し説明することする。タブレットＰＣ５を持った患者は、検査装置６ａの設置してある部屋に到着後、検査装置６ａのホルダにタブレットＰＣ５を設置する。検査室への移動や、タブレットＰＣ５のホルダへの設置の際に、タブレットＰＣ５が音声や画像で患者をガイドすることが好ましい。
【００２８】
図２Ｂを用いて、患者が検査装置６ａのホルダにタブレットＰＣ５を設置した後のシステム構成を説明する。患者がタブレットＰＣ５をホルダに設置し、相互の通信が確立すると、近距離Ｉ／Ｆ７ａによりタブレットＰＣ５と検査装置６ａの通信が開始される。続いて、後述するように、タブレットＰＣ５に記憶されている検査情報とサーバに記憶されている検査情報が照合される。このとき、タブレットＰＣ５と検査装置６ａとの通信が確立したところでタブレットＰＣ５が患者に対して表示や音声によって認証を要求すると良い。また、タブレットＰＣ５と検査装置６ａとの通信が確立し、さらに患者が検査位置に位置した際にこのような要求を行っても良い。患者は検査状態になるように検査装置に対して位置し、その状態で患者はタブレットＰＣ５による指紋認証を行う。
【００２９】
具体的な検査装置６ａ（本実施形態では、乳房を検査する光音響イメージング装置）の構成を図１に示す。図１（ａ）において、符号１０１は検査装置６ａの検査台である。符号１０２は検査台１０１に設置された、患者の乳房を挿入するための検出窓である。符号１１０はタブレットＰＣ５を置くホルダ、すなわち、タブレットＰＣ５を保持する保持部である。ホルダ１１０には近距離通信手段である近距離Ｉ／Ｆ７ａが実装されている（不図示）。保持部は、端末を保持可能であれば、プラスチックや金属など任意の材質で構成できる。また、端末の種類に応じて保持部を交換可能な取り付け部を設けても良い。
【００３０】
図１（ｂ）において、符号１０４で示される患者は、検査台にうつ伏せになり検査窓１０２に片方の乳房を挿入している。そして、ホルダにタブレットＰＣ５が設置された場合にのみ、近距離Ｉ／Ｆ７ａによりタブレットＰＣ５と検査装置６ａの通信が確立する。近距離Ｉ／Ｆ７ａは、例えば、ＵＳＢのような有線による通信、あるいは、ＮＦＣと呼ばれるような近距離無線、あるいは赤外光をはじめとする光通信により実現する。
【００３１】
近距離Ｉ／Ｆ７ａによりタブレットＰＣ５と検査装置６ａとの通信が確立されると、検査情報の照合が行われ検査内容が正しいか否かが確認される。それと並行して、タブレットＰＣ５による生体認証が可能になり、タブレットＰＣ５のガイドに従って患者が指を生体情報読み取り部に当てる。タブレットＰＣ５は生体情報として指紋を読み取り、予め保管された患者の指紋と比較する。両者が同一人物の指紋であるという比較結果が得られた場合、個人認証が完了する。個人認証の結果（肯定的または否定的）は、検査装置６ａに出力される。検査装置６ａは、検査内容が正しく、かつ個人認証が完了した場合に検査を開始する。
【００３２】
なお、タブレットＰＣ５は、個人認証の結果が肯定的であるか否定的であるかを、音声または画像により外部に通知してもよい。この場合、通知された個人認証の結果を見た技師が検査を開始する。タブレットＰＣ５が備えるディスプレイまたはスピーカが、認証結果を通知する通知部を構成する。通知部は、タブレットＰＣに備えられた構成とは別の装置であってもよい。通知部としては、通信チップとアンテナの組み合わせなど、既存の通信技術を活用した任意の部材を利用できる。
【００３３】
本発明は、タブレットＰＣ５による生体情報認証結果のみを検査装置６ａに近距離Ｉ／Ｆ７ａを介して送信することにより患者の認証を行う。そのため本発明では、サーバ１に
患者本人を識別できる指紋情報等の生体情報を記憶することはないので、情報セキュリティーを高く保つことができる。すなわち、本発明では、生体情報はタブレットＰＣ５内部に記憶し、ネットワーク２に接続されている検査装置６ａには、認証結果のみが送られる。さらに、タブレットＰＣ５は通常ネットワークと接続されない、また、指紋情報等の生体情報を検査終了後削除すれば、情報セキュリティーがより高く保たれる。
【００３４】
ホルダ１１０は、患者が検査できる状態で容易に指紋認証等の生体認証が可能な位置に設置すると良い。患者１０４が伏臥位で乳房を検査窓１０２に乳房を挿入した場合に、指紋認証が容易な位置に設置してあると好適である。図示したような光音響イメージング装置では、ホルダ１１０の位置が、移動機構によって自動的に、あるいは手動で、移動可能とすると好適である。検査装置６ａはサーバ１から、例えば左乳房を検査する等の検査情報を予め取得できる。その検査情報に従って、ホルダ１１０の検査台１０１における位置を変更する。
【００３５】
また、指紋認証を左右どちらの腕の指で行うかを、診察室で指紋情報と同時に記憶し、どちらの腕であるかの情報を予めサーバ１に送ってもよい。これにより、検査装置６ａのホルダ１１０を、予め好適な位置に移動できる。その結果、患者が不自然な格好で指紋認証することを予防できる。
【００３６】
（処理フロー）
図３を基に、本実施形態のフローをより詳細に説明する。本フローでは、検査情報の設定者である医師、検査対象者である患者、検査装置を操作する技師が登場する。初めに、検査をするために診察室に来た患者に対して、医師は患者に検査内容を説明し、患者にタブレットＰＣ５を渡し、患者を確認したうえで患者の指紋をタブレットＰＣ５のメモリに記憶させる（ステップＳＴ１００）。医師は、続いて、クライアントＰＣ３ａを用いて検査情報をサーバ１とタブレットＰＣ５に設定する（ステップＳＴ１０１）。ステップＳＴ１０１で医師はクライアントＰＣ５によらず、予めタブレットＰＣ５に検査情報を設定しても良い。
【００３７】
検査情報としては、検査の種類、検査装置設置場所、検査装置名、検査部位、検査装置パラメータ、患者の検査条件（血圧、脈拍等）、などがある。検査装置が複数の種類の検査を実行可能な場合、検査情報にはどの検査を行うかが含まれる。検査情報をサーバ１に設定する際には、タブレットＰＣ５または患者を特定する情報が含まれる。ステップＳＴ１００、ＳＴ１０１では、タブレットＰＣ５は、近距離Ｉ／Ｆ４ａでクライアントＰＣ３ａに接続される。近距離Ｉ／Ｆ４ａ、４ｂは、医師が患者と接しながら指紋情報等を入力するときに用いられるので、検査装置の近距離Ｉ／Ｆ７ａ、７ｂとは異なり、必ずしもホルダに挿入した時のみ通信可能なＩ／Ｆである必要はない。例えば、ブルーツースと呼ばれる近距離無線通信規格やＷｉ−Ｆｉ等の無線ＬＡＮ規格に準拠したＩ／Ｆであっても良い。
【００３８】
次に、患者はタブレットＰＣ５を持ち、タブレットＰＣ５のガイダンスに従って検査室に行く。タブレットＰＣ５は、検査前に、検査室への案内、検査内容の案内、検査時の患者の動作の説明、検査時の注意のうち少なくとも１項をガイダンスする（ステップＳＴ１０２）。なお、ガイダンスが必要のない検査の場合はガイダンスを行わなくても良い。なお、ガイダンス終了後に生体認証可能となる条件を入れても良い。このような条件は、検査前に患者がガイダンスを確実に受けるようになる点で、好適である。
【００３９】
検査室に到着した患者は、ガイダンスに従いタブレットＰＣ５を検査装置６ａのホルダ１１０に入れる。ホルダに装着されたタブレットＰＣ５は検査装置６ａと通信を確立する（ステップＳＴ１０３）。
【００４０】
次に、患者は指紋認証を行う。すなわち、保管された指紋情報と実測された指紋情報が比較され、認証結果が肯定的か、それとも否定的かが判定される。タブレットＰＣ５は判定結果を検査装置６ａに送る。この際、個人の生体情報である指紋情報はタブレットＰＣから外部に出すことはない（ステップＳＴ１０４）。前述したように、このステップはガイダンスが終了した後に行うと更に好適である。
【００４１】
同時に、サーバ１と検査装置６ａとタブレットＰＣ５は通信して、検査情報と検査装置が合っているかを確認し判定する（ステップＳＴ１０５）。これに先立って、検査装置６ａは検査情報を取得することが好ましい。ステップＳＴ１０４とＳＴ１０５は、必ずしも並列に行われなくても良い。例えば、ステップＳＴ１０５を先に実行し、検査情報が合致してから、患者へ指紋認証を要求する表示あるいは音声を出力し、ステップＳＴ１０４を実行しても良い。
【００４２】
ステップＳＴ１０６では、検査装置のコンピュータあるいは動作制御部によって、ステップＳＴ１０４、ＳＴ１０５の結果が判断される。すなわち、指紋認証の結果が肯定的であり、かつ、検査情報の合致が確認していれば、患者および検査内容が正しいと判断される。
【００４３】
指紋情報と検査情報の少なくとも片方が正しくなければ、患者、あるいは検査情報が異なることを示すエラー表示を、検査装置６ａあるいはタブレットＰＣ５に表示して処理を終了する（ステップＳＴ１１１）。なお、個人認証の結果が否定的であることを検査装置にフィードバックして、検査を実行できなくすることも好ましい。例えば検査開始指示を入力できなくする方法や、装置をロックする方法がある。また、検査情報のサーバからの取得は必須ではない。例えば検査内容は技師が確認してもよい。その場合、保管された指紋と読み取られた指紋の比較結果に基づいて、検査を実行可能かどうかが判定される。
【００４４】
一方、両方が正しければ、検査開始指示を待つ（ステップＳＴ１０７）。検査開始指示を受ければ検査開始する（ＳＴ１０８）。検査開始指示は、例えば、検査技師が検査装置６ａのモニタに表示されたＳＴＡＲＴアイコンにカーソルを移動し、マウスのボタンをクリックすることにより行われる。また、検査内容によっては、個人認証結果が肯定的であり検査が実行可能な場合は自動的に検査を開始してもよい。
【００４５】
両方の乳房を検査する患者は、タブレットＰＣ５のガイダンスに従い、一方の乳房の測定終了後、他方の乳房を検査窓１０２に挿入し、ステップＳＴ１０７から繰り返す。タブレットＰＣ５には前もって検査情報が記憶されているので、このようなガイダンスが可能となる。タブレットＰＣは検査中、患者に対して、検査部位に対する検査の進行状態、検査残り時間等を音声または画像で通知する。光音響イメージング装置は高出力のパルスレーザを用いるため、患者は保護メガネを装着する。そこで、患者に対する上記ガイダンスは、音声が望ましい。また、生体認証の種類としては、患者が保護メガネを装着するため、虹彩、網膜、顔等では無く、指紋等が好適である。同様に、眼底カメラ等の眼科検査における生体認証にも、指紋等が好適である。
【００４６】
検査が終了すると、検査装置６ａは検査終了したことをタブレットＰＣ５に伝える。そして、タブレットＰＣ５は記憶した指紋情報を消去する（ステップＳＴ１０９）。次に、タブレットＰＣ５の表示あるいは音声で患者に検査終了を伝える。そして患者は、検査台１０１から離れる（ステップＳＴ１１０）。以上の工程で検査を終了する。
【００４７】
本実施形態では、タブレットＰＣを病院が用意する前提で説明を行った。しかし、患者が所有しているスマートフォン等の携帯情報端末をそのまま利用しても構わない。その場
合、スマートフォンに、検査システムに対応するアプリケーションを予めインストールすると良い。また、患者が所有しているスマートフォンを利用する場合は、指紋情報等の生体情報を検査終了後に消去する必要はない。
【００４８】
本実施形態によれば、医療検査において患者の取り違いを防止できる。特に、タブレットＰＣが患者間で故意や過失により入れ替わった場合でも、タブレットＰＣが有する生体認証機能により患者取り違いが防止できる。また、患者が、医師が指定した検査装置以外で間違って検査を受けることも防止できる。また、個人を特定できる生体情報がネットワークに接続したサーバやクライアントＰＣ上に記憶されないので、情報セキュリティーを高く維持できる。さらに、タブレットＰＣが、患者に対するガイダンスや検査時のアシスト等を行うことで、患者の検査に対する不安を解消する効果がある。
【００４９】
＜第２の実施形態＞
本実施形態では、検査直前に患者が入れ替わることによる患者取り違えを防止する。図４を基に、本実施形態のフローについて、第１の実施形態と異なる点を中心として説明する。
【００５０】
ステップＳＴ１００〜ＳＴ１０２の処理は第１の実施形態と同様に行われる。これにより、指紋情報のタブレットＰＣ５への記憶（ＳＴ１００）、検査情報のサーバ１およびタブレットＰＣへの設定（ＳＴ１０１）、および、タブレットＰＣ５によるガイドに従った患者の移動（ＳＴ１０２）が完了する。さらに、ステップＳＴ１０３〜ＳＴ１０６、ＳＴ１１１の処理も、第１の実施形態と同様に行われる。これにより、タブレットＰＣ５の設置（ＳＴ１０３）、生体認証（ＳＴ１０４）、検査装置の確認（ＳＴ１０５）、検査の実行可否判定（ＳＴ１０６）、および、否定的判定時の例外処理（ＳＴ１１１）が実施される。
【００５１】
第１の実施形態との違いは、検査開始指示を待つ間に、肯定的判定時に（ＳＴ１０６＝Ｙ）、患者が検査装置を離れていないことの確認（ステップＳＴ１２０）、及び、タブレットＰＣがホルダの中にあるかの確認（ステップＳＴ１２２）を行う点である。患者が検査装置を離れた場合は、患者が検査装置を離れたことを示す表示を行い（ステップＳＴ１２１）、ステップＳＴ１０４、ＳＴ１０５に戻る。また、タブレットＰＣ５がホルダから外れた場合には、タブレットＰＣがホルダから外れたことを示す表示を行い（ステップＳＴ１２３）、ステップＳＴ１０３に戻る。
【００５２】
患者が検査装置を離れておらず、かつ、タブレットＰＣがホルダの中にある場合は、患者取り違えなしに検査を実施できるので、検査開始指示を受ければ検査開始する（ステップＳＴ１０７、ＳＴ１０８）。検査終了後のステップＳＴ１０９〜ＳＴ１１０の処理は、第１の実施形態と同様である。
【００５３】
ステップＳＴ１２０において、患者が検査装置の所定の測定位置から離れていないことを確認する手段を述べる。光音響イメージング装置においては、検査台１０１に加重計を設けることが好適である。加重計により検査台に加わる重さを監視することで、重さが減少した場合に患者が検査装置を離れたとの判断が可能になる。他にも、外部カメラによる画像認識により、検査装置と患者の距離を計測し、距離が離れた場合に患者が検査装置から離れたと判断する方法もある。また眼底カメラのような装置では、患者と検査装置との距離を例えば静電センサや超音波センサ等で計測し、一定距離を超えた場合患者が検査装置から離れていると判断しても良い。本発明の検査対象者確認部として、これらの手段が利用できる。
【００５４】
ステップＳＴ１２２において、タブレットＰＣ５がホルダの中にあるか否かを検出する
手段を述べる。ホルダ内部にスイッチを配置し、スイッチのＯＮ／ＯＦＦ状態に基づいてタブレットＰＣ５の有無を判断する方法がある。スイッチとして例えばマイクロスイッチがある。また、タブレットＰＣ５のホルダへの装着時に、スイッチの押しボタンやレバーが自動的に押される構造をとると好適である。また近距離Ｉ／Ｆ７ａの通信が切断されたか否かにより判断しても良い。その他、光学的センサや重量センサ等も利用できる。本発明の携帯情報端末確認部として、これらの手段が利用できる。
【００５５】
以上説明したように、本実施形態によれば、第１の実施形態で示した効果に加え、患者が検査装置に位置し指紋認証を行った後に、故意や過失で患者が入れ替わってしまった場合であっても、患者の取り違えを防止できる。
【００５６】
＜第３の実施形態＞
本実施形態では、一人の患者が複数の検査を行う。特に人間ドック等の健診においては、複数種類の検査項目があるのが一般的である。図５に基づいて、第１および第２の実施形態と異なる点を中心として説明する。
【００５７】
ステップＳＴ１００〜ＳＴ１０２の処理は第１の実施形態と同様に行われる。これにより、指紋情報のタブレットＰＣ５への記憶（ＳＴ１００）、検査情報のサーバ１およびタブレットＰＣへの設定（ＳＴ１０１）、および、タブレットＰＣ５によるガイドに従った患者の移動（ＳＴ１０２）が完了する。ここで検査情報には、複数種類の検査項目が含まれている。また、タブレットＰＣ５は、設定された検査の順序に従って患者をガイドする。好ましい検査の順序は、検査項目ごとの患者への負担の程度の違いや、検査装置の使用状況に応じて定めることが好ましい。
【００５８】
さらに、ステップＳＴ１０３〜ＳＴ１０６、ＳＴ１１１の処理も、第１の実施形態と同様に行われる。これにより、検査装置ごとに、タブレットＰＣ５の設置（ＳＴ１０３）、生体認証（ＳＴ１０４）、検査装置の確認（ＳＴ１０５）、検査の実行可否判定（ＳＴ１０６）、および、否定的判定時の例外処理（ＳＴ１１１）が実施される。本実施形態では、判定結果が肯定的だった場合（検査装置が合致し、かつ認証結果が正しかった場合）、第１の実施形態と同様に開始指示を確認し、検査を行う（ステップＳＴ１０７〜ＳＴ１０８）。
【００５９】
検査が終了すると、検査装置６ａは検査終了したことを近距離Ｉ／Ｆ７ａを介してタブレットＰＣ５に伝える。タブレットＰＣ５は、表示あるいは音声により、当該検査装置による検査が終わったことを患者に伝える。次に、タブレットＰＣ５は、予め記憶されている検査情報と検査装置６ａから入手した検査終了情報を基に、全ての検査が終了したかどうかを判断する（ステップＳＴ１３０）。もし全ての検査が終了していなければ、タブレットＰＣは次の検査内容を音声または表示で患者に知らせる。その際、タブレットＰＣを持ち、検査台１０１から離れるように指示すると良い。患者は指示に従い、タブレットＰＣを持って検査台１０１から離れる（ステップＳＴ１３１）。
【００６０】
処理は、ステップＳＴ１０２に戻る。タブレットＰＣは次の検査装置のガイダンスを行い、患者を検査室に誘導する。複数の検査を行う場合、検査項目の総数と検査済み項目数、または、何％の検査が終了したかの表示を行うと良い。本発明では、複数の検査であっても同じタブレットＰＣ５を用いるので、容易にこのようなガイダンスが行える。以降、ステップＳＴ１０３からステップＳＴ１０８を行い、ステップＳＴ１３０に戻る。ステップＳＴ１３０でタブレットＰＣが全ての検査終了と判断した場合には、ステップＳＴ１３２に進む。
【００６１】
ステップＳＴ１３２では、タブレットＰＣは記憶した指紋情報を削除し、患者に全ての
検査が終了したことを音声又は表示等で患者に知らせる。続いて、ステップＳＴ１３３で、患者は検査が終了したので検査装置から離れる。以上の工程で検査を終了する。
【００６２】
本実施形態の処理に、第２の実施形態で説明した各ステップ（ステップＳＴ１２０〜ＳＴ１２３）を追加してもよい。これにより、故意や過失で患者が入れ替わってしまった場合でも、検査時の患者の取り違いを防止できる。また本実施形態の処理は、一つの検査装置が複数の検査機能を有する場合にも適用できる。
【００６３】
以上説明したように、本実施形態でも第１の実施形態で示した効果を享受できる。さらに、患者が複数の検査を複数の検査装置で行う場合であっても、同じタブレットＰＣを用いて患者をガイドできる。そのため、検査の進行状態が随時分かるので、検査に対する患者の不安感を払しょくできる。また、複数の検査であっても、１回の指紋等の生体情報の取得を行えば良いので、情報セキュリティーを高く保つことが容易になる。
【００６４】
＜第４の実施形態＞
本実施形態では、検査装置が設置された部屋全体を検査装置とみなせる場合について述べる。例えば、Ｘ線撮像装置、ＣＴ装置や、ＭＲＩ等の検査装置は、患者以外の者の被ばくを避けるため、あるいは、測定精度を上げるため、患者のみ検査室に入室し検査する。この場合、検査室に入る扉の周辺などにホルダを設ける構成としてもよい。この場合、患者は入室時に生体認証を行う。また、検査情報と検査装置が合致の確認は、ホルダへのタブレット設置時に行われる。このような位置にホルダを設けた構成も、本発明の適用範囲に含まれる。
【００６５】
特にＭＲＩのような検査装置においては、タブレットＰＣを検査装置近傍に設置した場合、ＭＲＩ画像の画質が低下する可能性がある。また、ＭＲＩの強力な磁界によりタブレットＰＣが故障する可能性がある。このような場合でも、本実施形態のように検査装置が設置された部屋全体を検査装置とみなすことにより、本発明を適用できる。
【００６６】
以上説明したように、本実施形態によれば、タブレットＰＣの検査室内への持ち込みが難しい検査装置であっても、上記各実施形態で示した効果が得られる。本実施形態の構成は、上記第１から第３いずれの実施形態にも適用できる。
【００６７】
＜第５の実施形態＞
上記各実施形態で述べたように、タブレットＰＣは、検査情報の入力を受け、指紋情報を記憶した後、検査室への案内、検査内容の案内、検査時の患者の動作の説明、検査時の注意説明などのガイダンスを行う。そして本実施形態では、タブレットＰＣが行うガイダンス中に、患者の身体の状況が把握できる。
【００６８】
以下、身体状況の把握方法を具体的に説明する。タブレットＰＣは、検査を行う前に、検査情報を基に患者が検査可能であるかどうかを確認する。一例として、胃のレントゲン等であれば、患者が夕食を摂取していないことを確認する。確認の際には、タブレットＰＣ５が通常備える表示部、スピーカ、タッチパネル等のＵＩを用いれば良い。もし、患者が検査に適さない状態なら、タブレットＰＣ５は、検査装置６ａと通信を確立した後に、検査装置６ａに検査不適合状態である旨を送信する。そして、検査装置６ａは検査を中止する。
【００６９】
他の動作の例として、タブレットＰＣ５の表示画面に患者の状態を表示して、検査技師にタブレットＰＣ５を渡すように指示する表示を行ってもよい。この場合、タブレットＰＣ５を受け取った検査技師が、表示内容の詳細を患者に確認して検査を実行できないか、それとも実行可能かを判断する。
【００７０】
また他の例として、タブレットＰＣ５と通信を行う他のウェアラブルデバイスと連携し、ガイダンス中に患者の身体の状況を把握する方法がある。ウェアラブルデバイスには例えば、時計型、リストバンド型、メガネ型などの種類があり、体温、脈拍、血圧等の身体情報を取得できる。タブレットＰＣ５は、ウェアラブルデバイスと通信して患者の身体情報を入手する。そして、入手した身体情報をタブレットＰＣ５に予め記憶されている検査条件と比較して、検査の実行可否を判定する。あるいは、身体情報を技師に確認させるようガイドする。
【００７１】
以上説明したように、本実施形態によれば、タブレットＰＣやウェアラブルデバイスが患者の身体状況を把握する。その結果、身体状況が検査条件を満たさない場合は検査を中止できるので、身体の状況が悪い患者に対して検査を行うリスクを回避できる。
【００７２】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００７３】
５：タブレットＰＣ，６ａ、６ｂ：検査装置
【図１】
0006590689.tif 000002
【図２Ａ】
0006590689.tif 000003
【図２Ｂ】
0006590689.tif 000004
【図３】
0006590689.tif 000005
【図４】
0006590689.tif 000006
【図５】
0006590689.tif 000007
【図６】
0006590689.tif 000008